(57)【特許請求の範囲】
【請求項１】
細長で底板のない箱型であって、内部に電源機器を収納したベース本体と、内部に光源を有する細長の箱型の光源ケースとを一定長のワイヤーで連結した前記ベース本体に前記光源ケースを接続するＬＥＤ照明器具の接続構造において、
前記ベース本体の両側板の下端に、一方は側板下端から内側に突出した断面鍵型の係止突板、他方は側板下端から内側に突出させて、突出端を外側に向けて折り返した断面横向きＵ字型の係止溝体を夫々ベース本体の長手方向に沿って設け、
前記光源ケースの上面両側に、前記ベース本体の係止突板及び横向きＵ字型の係止溝体に対向して断面鍵型の鍵型係止体を光源ケースの長手方向に沿って突設し、
前記ベース本体の係止突板の上面及びＵ字型の係止溝体の溝内に前記光源ケースの両側の鍵型係止体を夫々挿入又は嵌合して光源ケースをベース本体に係止し、
この状態での前記ベース本体に対する光源ケースの横ずれを防止自在な細長形状のストッパー体をベース本体又は光源ケースのどちらか一方に設け、当該ストッパー体の自由端を回転させて他方に掛けることが可能な構成としたことを特徴とする、分離型のＬＥＤ照明器具の接続構造。
【請求項２】
前記ストッパー体がベース本体の、断面横向きＵ字型溝体を有する側板に回転、固定自在に設けられ、前記光源ケースをベース本体に係止した際、前記ストッパー体を光源ケースの一方の鍵型係止体の側面に当てて当該ストッパー体を固定する構成であることを特徴とする、請求項１に記載の分離型のＬＥＤ照明器具の接続構造。
【請求項３】
前記光源ケースの一方の鍵型係止体の側面脇の上面に、当該光源ケースの長手方向に沿って溝を設け、当該溝に前記ストッパー体の端縁が挿入されて前記ストッパー体が固定される構成としたことを特徴とする、請求項１又は２に記載の分離型のＬＥＤ照明器具の接続構造。
【請求項４】
前記ストッパー体は、前記ベース本体にボルトにより螺着され、ボルトを緩めると回転自在となる構成としたことを特徴とする、請求項１〜３のいずれかに記載の分離型のＬＥＤ照明器具の接続構造。
【発明の詳細な説明】
【技術分野】
【０００１】
この発明は、電源部を有するベース本体と当該ベース本体に取り付ける、光源部を収納する光源ケースとから成る分離型のＬＥＤ照明器具の接続構造に関するものである。
【背景技術】
【０００２】
駅の構内等で使用するＬＥＤ照明器具は、細長い照明器具を多数直線上に並べており、天井から吊り下げたレースウエイに取り付けられているケースが多い。
【０００３】
これらのＬＥＤ照明器具は、電源部を収納したベース本体と光源部を収納する光源ケースとに分離し、組み立てる構成となっている。これは、電源部の耐用年数と光源部の耐用年数が異なるため、これらを別々に設けて壊れた方のみを取替える方が経済的であるとの考えからである。また、上記レースウエイ等に取り付ける際、一体ものであると重量が重く、外形が嵩み、取り扱いにくく不便である。このような事情から分離型としている。
【０００４】
図５は、この様な分離型のＬＥＤ照明器具の従来のベース本体と光源ケースの接続構造及び方法を示すものである。まず、（ａ）図に示すように、細長い略箱型で底板のないベース本体１をレースウエイ等の構造物（図示省略）に固定する。そして（ｂ）図に示すように、内部に光源部を収納した細長い略箱型の光源ケース２を、光源ケース２の上面２箇所に一端を固定したワイヤー３を伸ばし、前記ベース本体１内に、前記各ワイヤー３の先端に設けたナス環４を取付け、ベース本体１の下方に光源ケース２を吊るす。
【０００５】
その後、ベース本体１の電源部と光源ケース２の光源部とを、当該光源ケース２から導出したケーブル５を、防水コネクタ６を介して接続する。そして、（ｃ）図に示すように、光源ケース２を斜めにしてその一端の上面端部の金具７を、ベース本体１の一端下部に設けた係止具８に引っ掛け、この状態で光源ケース２の他端を持ち上げ、（ｄ）図に示すように光源ケース２の他端を前記ベース本体１の他端に押し付ける。
【０００６】
その際、ベース本体１の他端部に設けたバネ部材（図示省略）により光源ケース２の他端部を挟持してベース本体１の下部内に光源ケース２の上部は勘合し、取り付けられる。その後、脱落防止ビス９で光源ケース２をベース本体１に固定して確実に取り付けるものである。
【０００７】
また、上記とは別に、ＬＥＤ照明器具の取付・落下防止装置として特許文献１に示すものがある。これは、天井面にネジ止めされるベース板の両側の側板の外面に、上下の突リブにて溝を形成し、前記側板の両端側に第１の嵌合穴を穿孔し、ベース板の下面側に装着する器具本体の上面両側に設けた突リブの両端側に前記第１の嵌合穴に対応した位置で第２の嵌合穴を穿孔し、前記ベース板の突リブで形成した溝内には、係合片を有するバネ性の係合体をスライド自在に装着し、当該係合体を右方にスライドさせて係合体の係合片を前記第１の嵌合穴及び第２の嵌合穴に挿通させてこれらの嵌合穴より内方に突出させ、これにより、器具本体をベース板に簡単に装着でき、器具本体がベース板から落下するのを確実に防止するものである。
【先行技術文献】
【特許文献】
【０００８】
【特許文献１】特開２０１４−８６２３３号公報
【発明の開示】
【発明が解決しようとする課題】
【０００９】
しかしながら、前記図５に示す光源ケース２とベース本体１との接続構造では、光源ケース２の一端の金具７をベース本体１の係止具８に引っ掛け、さらに光源ケース２の他端を持ち上げてベース本体１に取付けるため極めて手間のかかる取付け作業となる。また、部品点数もベース本体１、光源ケース２、金具７、係止具８、及びバネ部材等と多い。    
【００１０】
また、特許文献１のものは、ベース板と器具本体とは別にバネ性の係合体を用意しなければならない。また構造も複雑である。従って、製造コストがかかる。
【００１１】
そこで、この発明は、この点に着目し、接続が極めて簡単にでき、かつ、接続後はむやみに外れない、部品点数の少ない分離型のＬＥＤ照明器具の接続構造を提供することを目的としたものである。
【課題を解決するための手段】
【００１２】
請求項１の発明は、細長で底板のない箱型であって、内部に電源機器を収納したベース本体と、内部に光源を有する細長の箱型の光源ケースとを一定長のワイヤーで連結した前記ベース本体に前記光源ケースを接続するＬＥＤ照明器具の接続構造において、前記ベース本体の両側板の下端に、一方は側板下端から内側に突出した断面鍵型の係止突板、他方は側板下端から内側に突出させて、突出端を外側に向けて折り返した断面横向き略Ｕ字型の係止溝体を夫々ベース本体の長手方向に沿って設け、前記光源ケースの上面両側に、前記ベース本体の係止突板及び横向きＵ字型の係止溝体に対向して断面鍵型の鍵型係止体を光源ケースの長手方向に沿って突設し、前記ベース本体の係止突板の上面及びＵ字型の係止溝体の溝内に前記光源ケースの両側の鍵型係止体を夫々挿入又は嵌合して光源ケースをベース本体に係止し、この状態での前記ベース本体に対する光源ケースの横ずれを防止自在な細長形状のストッパー体をベース本体又は光源ケースのどちらか一方に設け、当該ストッパー体の自由端を回転させて他方に掛けることが可能な構成である、分離型のＬＥＤ照明器具の接続構造とした。
【００１３】
また、請求項２の発明は、前記ストッパー体がベース本体の、断面横向きＵ字型溝体を有する側板に回転、固定自在に設けられ、前記光源ケースをベース本体に係止した際、前記ストッパー体を光源ケースの一方の鍵型係止体の側面に当てて当該ストッパー体を固定する構成である、請求項１に記載の分離型のＬＥＤ照明器具の接続構造とした。
【００１４】
また、請求項３の発明は、前記光源ケースの一方の鍵型係止体の側面脇の上面に、当該光源ケースの長手方向に沿って溝を設け、当該溝に前記ストッパー体の端縁が挿入されて前記ストッパー体が固定される構成とした、請求項１又は２に記載の分離型のＬＥＤ照明器具の接続構造とした。
【００１５】
また、請求項４の発明は、前記ストッパー体は、前記ベース本体にボルトにより螺着され、ボルトを緩めると回転自在となる構成とした、請求項１〜３のいずれかに記載の分離型のＬＥＤ照明器具の接続構造とした。
【発明の効果】
【００１６】
請求項１の発明によれば、前記ベース本体に光源ケースを接続するには、適宜の構造物に固定されたベース本体の下方横方向から光源ケースを近づけ、ベース本体の係止突板及び係止溝体に、光源ケースの上面両側に突出した２つの鍵型係止体を引っ掛け、前記ストッパー体を、他方のベース本体又は光源ケースに掛けて固定すれば、光源ケースはベース本体に固定される。従って、接続作業は極めて簡単となる。また、前記係止突板、係止溝体、鍵型係止体は押し出し成形により、すべてベース本体及び光源ケースと一体に設けることができるため、部品点数が少なく、製造コストを低減できる。
【００１７】
また、請求項２の発明によれば、前記ストッパー体がベース本体の、断面横向きＵ字型溝体を有する側板に回転、固定自在に設けられているため、嵩張らず、光源ケースのベース本体への係止作業に邪魔にならない。
【００１８】
また、請求項３の発明によれば、ストッパー体の端縁を光源ケースの上面に設けた溝に挿入することにより、ストッパー体がより強固に固定でき、光源ケースをベース本体に強固に固定できる。
【００１９】
また請求項４の発明によれば、前記ストッパー体の固定、又は回転自在状態をボルトを締め付ける又はゆるめることにより、極めて容易にできる。従って、光源ケースのベース本体への接続作業全体を容易かつ迅速に行うことができる。
【図面の簡単な説明】
【００２０】
【図１】この発明の実施の形態例１の分離型のＬＥＤ照明器具の接続状態を示す断面正面図である。
【図２】この発明の実施の形態例１の分離型のＬＥＤ照明器具の分離状態を示す断面正面図である。
【図３】この発明の実施の形態例１の分離型のＬＥＤ照明器具の分離状態を示す斜視図である。
【図４】この発明の実施の形態例１の分離型のＬＥＤ照明器具の接続状態を示す斜視図である。
【図５】従来の分離型のＬＥＤ照明器具の取付け構造及び取付け方法を示す説明側面図である。
【発明を実施するための形態】
【００２１】
（実施の形態例１）
以下、この発明の実施の形態例１の分離型のＬＥＤ照明器具を図に基づいて説明する。
【００２２】
図２に示すように、当該分離型のＬＥＤ照明器具は、細長で底板のない箱型であって、内部に電源機器を収納したベース本体１と、内部に光源を有する細長い箱型の光源ケース２とから成り、図２では図示を省略したが、従来と同様に、一定長のワイヤーで前記ベース本体１と光源ケース２は連結されている。
【００２３】
そして、前記ベース本体１の両側の一方の側板１ａの下端から内側に突出した断面鍵型の係止突板１１が、また、他方の側板１ａの下端から内側に突出させて、突出端を外側に向けて折り返した断面横向きＵ字型の係止溝体１２が夫々ベース本体１の長手方向に沿って設けられている。
【００２４】
また、前記光源ケース２の上面両側に、前記ベース本体１の係止突板１１及び横向きＵ字型の係止溝体１２に夫々対向した向きの断面鍵型の鍵型係止体１３、１３が光源ケース２の長手方向に沿って夫々突設されている。
【００２５】
また、前記ベース本体１の、前記係止溝体１２を有する側板１ａに、ストッパー体１４が、回転自在及び固定自在に設けられている。当該ストッパー体１４は、ボルト１５が外側から貫通し、当該ボルト１５は前記側板１ａに螺着されている。従って、前記ボルト１５を締め付けることにより、ストッパー体１４は固定され、前記ボルト１５を緩めることによりストッパー体１４は回転自在となる。なお、ストッパー体１４は、ベース本体１の側板１ａに長手方向に間隔をあけて２個設けられている（図３参照）。但し、ストッパー体１４の数は、これに限定されるわけではなく、ベース本体１及び光源ケース２の全長によっては、１個で足りる場合もあり、２個以上必要な場合もある。
【００２６】
また、前記光源ケース２の一方の鍵型係止体１３、すなわち前記ベース本体１の係止溝体１２に係止する鍵型係止体１３の側面脇の光源ケース２の上面には、前記ストッパー体１４の端縁が挿入自在な溝１６が設けられている。
【００２７】
なお、前記ベース本体１の電源機器と光源ケース２内の光源部とから夫々導出したケーブル５は防水コネクタ６により接続自在となっている（図５参照）。
【００２８】
以上の構造の分離型のＬＥＤ照明器具のベース本体１に光源ケース２を接続するには、図３に示すように、適宜の構造物に支持された前記ベース本体１に前記光源ケース２に一端を固定したワイヤー３の先端のナス環４を固定する。
この様にして、ベース本体１に光源ケース２を吊り下げる（図示省略）。
【００２９】
そして、ベース本体１の下方横方向から光源ケース２を近づけ、ベース本体１の係止突板１１の上面及び係止溝体１２の溝に光源ケース２の上面両側から突出した２つの鍵型係止体１３、１３を挿入又は嵌合させる。これにより光源ケース２はベース本体１に係止される。
【００３０】
この状態で前記２個のストッパー体１４を夫々ボルト１５を中心に回して、その端縁を前記光源ケース２の溝１６に嵌め、各ボルト１５を締め付ける。これにより、図１及び図４に示すように、光源ケース２のベース本体１に対する横方向（長手方向と直角な方向）の動きが規制される。
【００３１】
なお、この実施の形態例１では、前記光源ケース２の溝１６に各ストッパー体１４の端縁を挿入して係止したが、この溝１６を設けなくてもよい。この場合、各ストッパー体１４は、前記断面Ｕ字型の係止溝体１２に嵌合させる一方の鍵型係止体１３の側面に当たる構成とし、これにより光源ケース２のベース本体１に対する横方向（長手方向と直角な方向）の動きを規制することができる。
【００３２】
また、前記ストッパー体１４をボルト１５で軸支せず、他の適宜の方法で、軸支し、前記ベース本体１又は光源ケース２のいずれか一方に設け、前記ストッパー体１４を回動させて他方の前記ベース本体１又は光源ケース２のいずれかに掛けることにより、光源ケース２のベース本体１に対する横方向（長手方向と直角な方向）の動きを規制することもできる。
【００３３】
また、この実施の形態例１では、ベース本体１の一方の側板１ａの下端に断面横向きのＵ字型の係止溝１２を設けたが、当該係止溝１２は完全な横向きＵ字型の枠体又は部材でなくても、前記鍵型係止体１３の上片が嵌合可能な横向きの溝であればよい。
【符号の説明】
【００３４】
１      ベース本体                １ａ    側板
２      光源ケース                ３      ワイヤー
４      ナス環                    ５      ケーブル
６      防水コネクタ              ７      金具
８      係止具                    ９      脱落防止ビス
１１    係止突板                  １２    係止溝体                  
１３    鍵型係止体                １４    ストッパー体  
１５    ボルト                    １６    溝
【図１】
0006522415.tif 000002
【図２】
0006522415.tif 000003
【図３】
0006522415.tif 000004
【図４】
0006522415.tif 000005
【図５】
0006522415.tif 000006